(57)【要約】【課題】音響振動の一部が無駄にされたり、反射して音質劣化を招いたり、ルームチューニングの過度の調整が必要であった。【解決手段】ベース部２は制振機能を有し、脚部３は天板部６を所望高さへの支持機能を有し、天板部６の上面部は、エンクロージャー５の底面１３から振動が伝幡すると共に自由端から響鳴し易い多孔質の石板又はセラミック板と成して、天板部６は響鳴機能を有することによって、ボックス４の床面１３の振動を天板部６に伝播し、天板部６の上面、側面、底面等の自由端から響鳴させて音響再生したり、エンクロージャー５に反射させずに音質劣化させなかったり、ベース部２等で振動消除してルームチューニングの調整を軽減する。【選択図】        図１
2004364097.tif 000002
【特許請求の範囲】
【請求項１】
床面設置されるベース部に脚部を介してエンクロージャーを載置する天板部を設けたスピーカースタンドであって、
ベース部は制振機能を有し、脚部は天板部を所望高さへの支持機能を有し、天板部の上面部は、エンクロージャーの底面から振動が伝幡すると共に自由端から響鳴し易い多孔質の石板又はセラミック板と成して、天板部は響鳴機能を有する様にしたことを特徴とするスピーカースタンド。
【請求項２】
天板部はエンクロージャーを載置する上面部の第１天板と、脚部に接する第３天板と、第１天板と第３天板の間の第２天板の３層構造と成し、第１天板と第３天板は大型円形板と成すと共に、第２天板は離隔配置した複数の小型円形板と成し、第２天板は伝播機能と制振機能を有すると共に、第３天板は伝播機能を有するものと成したことを特徴とする請求項１記載のスピーカースタンド。
【請求項３】
脚部の離隔立設した複数の支柱は支柱芯材及び支柱側板より成り、支柱芯材は制振機能を有するものと成したことを特徴とする請求項１又は２記載のスピーカースタンド。
【請求項４】
支柱の両側面を中凹み状と成したことを特徴とする請求項３記載のスピーカースタンド。
【発明の詳細な説明】
【０００１】
【発明の属する技術分野】
本発明は、スピーカーシステムを内蔵するエンクロージャーを最適高さに支持し、床面を保護するスピーカースタンドに関するものであって、特に、スピーカーシステムを内蔵するボックスの底面で発生する振動も良好な音響として再生するスピーカースタンドに関する。
【０００２】
【従来の技術】
従来、コーン型やドーム型のスピーカー及びその駆動システム等を内蔵するエンクロージャーにあっては、スピーカーとボックスの６面からも振動波が出ており、スピーカースタンドでエンクロージャーを底面から支持する場合には、スピーカーやボックスの５面の振動は空気に直接作用して有効であるが、底面の振動はスタンドに伝播している。
そして、ボックス底面からの伝播振動を床面に流すことを主流としているが、材質によってはスピーカーに反射していた。
【０００３】
床面に流した場合には、ボックス１面分の振動が床面に吸収されて、ボックス底面からの振動は音響にならなかったり、加えて、床面の振動を防止すると、音響空間、室内空間のルームチューニングの調整が必要となっていた。
この一例としては、スパイクが筆頭であり、逆三角形の構造や振動伝播し易い材質によって作られたスパイクで振動を床面に流していた。
【０００４】
他方、スタンドが振動吸収性の低い金属材質（例えば鉄）の場合には、ボックス底面からの振動はスタンド上面で反射、或いは、共振して、スタンド上面から振動がボックスに伝播しており、ボックスの本来の振動波とスタンドからの反射共振振動波が合成され、位相ズレ（時間差）と波形合成によって、波形崩れやノイズが発生し音質が劣化していた。
【０００５】
上記問題点の他、スピーカースタンドの各構成部材に要求される材質としては、音響に悪影響を及ぼすプラスイオンの吸着を抑制・防止する材質である。
例えば、スピーカーに使用されているマグネットがフェライト磁石（炭素鋼）の場合、フェライト磁石はプラスイオンを吸着する性質があるため、スピーカー周辺はプラスイオンの場が形成され、音響振動のスムーズな出力が妨げられていた。
更に、従来のスピーカースタンドは金属製のものが多く、且つ炭素成分を含有しているものもあり、スタンド自体がプラスイオンを吸着して害があるプラスイオンが増加し、更に磁場を形成していることが多く、磁場は指向性に影響するため、材質が金属製や炭素成分含有のものでは、スピーカーからの振動出力に悪影響を与えるスタンドが少なくなかった。
【０００６】
研究開発段階や出願段階で先行技術調査を行っておらず、記載すべき先行技術文献を知りません。
【０００７】
【発明が解決しようとする課題】
本発明は、ボックス床面の振動を床に流さず、スタンドから開放し、楽曲音、音声等の音響として響鳴させ有効に出力再生し、且つスタンドからの反射を防止して音質劣化をさせず、更に床面に振動を流さずルームチューニングの調整を軽減する様にしたスピーカースタンドを提供せんとするものである。
【０００８】
【課題を解決するための手段】
本発明は、上記従来技術に基づく、音響振動の一部が無駄にされたり、反射して音質劣化を招いたり、ルームチューニングの過度の調整が必要であった点に課題に鑑み、ベース部は制振機能を有することによって、振動消除して床面に流さずルームチューニングの調整を軽減し、脚部は天板部を所望高さへの支持機能を有し、天板部の上面部は、エンクロージャーの底面から振動が伝幡すると共に自由端から響鳴し易い多孔質の石板又はセラミック板と成して、天板部は響鳴機能を有することによって、ボックスの床面の振動をスタンドの天板部に伝播し、天板部の上面、側面、底面等の自由端から響鳴させて音響再生したり、エンクロージャーに反射させずに音質劣化させない様にして、上記課題を解決せんとしたものである。
【０００９】
【発明の実施の形態】
以下、本発明の一実施例を図面に基づいて説明する。
図１〜３に示す様に、本発明に係るスピーカースタンド１は、上中下３層から成り、床面設置されるべース部２に脚部３を介して、スピーカーシステムを箱状のボックス４に内蔵したエンクロージャー５を載置する天板部６から成るスタンド１である。
詳細な材質及び構造は後述するが、ベース部２は制振機能を有し、且つオーディオボードの機能を有し、脚部３は天板６を所望高さへ支持する強度を有する機能を有し、且つ、ボックス４からの振動を制振したり、音響室内空間の振動を制振する機能を有し、天板部６はボックス４の振動を音響として再生する響鳴機能を有し、且つ脚部３等への振動伝播を抑制・防止する制振機能を有する。
尚、本件発明における制振は、振動の全部又は一部を、各構成部材の内部又は接合個所で、振動減衰などにより吸収したり消除すること、伝播を抑制・阻止すること（特定方向へのみ伝播することを含む）を意味している。
【００１０】
図１、３、６に示す様に、ベース部２にあっては、円板状の第１底板７下に３枚の円板状の第２底板８、８ａ…を介装して第３底板９を接着している。
図１、２、５に示す様に、脚部３はベース部２の第２底板８、８ａ…の位置で３本の支柱１０、１０ａ  …を立設し、各支柱１０、１０ａ  …は振動を吸収したり、減衰する材質の支柱芯材１１の両側に十分な強度を有する支柱側板１２、１２ａ  を接着している。
図１、３、４に示す様に、天板部６はボックス４の底板１３が載置される上面部の第１天板１４の下層に３枚の円板状の第２天板１５、１５ａ  …を介装して、下層部に第３天板１６を接着して３層構造と成し、第２天板１５、１５ａ  …は脚部３の支柱１０、１０ａ  …と同一位置と成している。
【００１１】
以下、本発明に係るスピーカースタンドの作用を各構成部材の材質および構造と共に説明する。
先ず、スタンド１の全構成部材に共通する材質としては、プラスイオン増加や磁場形成を抑制防止する材質であり、鉄分及び炭素の含有率が０．００００１％とされる大理石や花崗岩を素材とした石板や、炭素を含まず鉄分が１％未満のセラミックを素材としたセラミック板を採用して、プラスイオン場や磁場の形成を防止している。
次に、各構成部材の材質として、響鳴性、反射性、伝播性、制振性、強度性及び見栄え、大量生産性、コスト等の観点から上記石板やセラミック板を適材適所に好適形状、構造で採用している。
【００１２】
天板部６はボックス４の底面１３の振動を音響として再生する響鳴機能を有し、且つ脚部３等への振動伝播を抑制・防止する制振機能を有する材質・構造の石板等であり、図１、３、４に示す様に、３層構造の上下面部の第１天板１４及び第３天板１６は同大の大型円形板と成すと共に、中間部の第２天板１５、１５ａ  …は３枚の小型円形板と成し、該第２天板１５、１５ａ  …は隣接同士および中央位置が空間となる様に、比較的外周側に均等に離隔配置している。
そして、第１天板１４が響鳴機能を有すると共に、第２天板１５、１５ａ  …の配置で響鳴機能を向上させ、第２天板１５、１５ａ  …および第３天板１６は不要振動に対する制振機能を有している。
詳しくは、第１天板１４はエンクロージャー５の底面１３から振動が伝幡すると共に、第１天板１４の上面に伝播した振動が円周面（側面）、底面、上面の自由端（空気接触面）へ内部で伝播し、自由端から音響空間（空気）へ振動出力し、エンクロージャー５の底面１３の振動を第１天板１４の自由端から音響として響鳴させる。
かかる伝播響鳴機能し易い材質として、各種石板等を実験した処、第１天板１４としては、表面研磨後でも気孔が視認でき、適度な気孔率を有する多孔質の石板又はセラミック板（後述する様に最適には特定種の大理石）と成して、天板部６の第１天板１４は響鳴機能を有する様にしている。
【００１３】
今回の実験では、各種構成部材の石板等として、大理石と花崗岩およびセラミック板を種々実験した処、大略、気孔率（石板では判明している吸水率で、気孔率と吸水率は一定の関係を有する）に関係することが判明した。
各種石板等の実験結果によると、気孔率（吸水率）が低いもの（花崗岩や一部の大理石）は振動反射傾向が強く、気孔率が高い（１０％等）もの（一部のセラミック板）は吸振（振動減衰）傾向が高く、気孔率が適度（吸水率０．１０％〜３．５３％、好適には１．１２％〜２．１８％の大理石）のものの一部が伝播響鳴機能が良好であり、気孔率が比較的高いもの（セラミック板）では伝播傾向と吸振傾向を合わせ持ち、一部の大理石では内部構造によるものと思われるが吸振傾向が高かった。
【００１４】
以下、第１天板１４に使用する石板等の伝播響鳴機能の実験の一部を列挙します（実験方法はエンクロージャー５を各種石板等に載置した音響聴取方法）。
（１）シベック（ＳＩＶＥＣ）（マケドニア産）
伝播響鳴機能×＝悪い。
吸水率０．１９％  見掛け比重２．８６（ｔ／ｍ３  ）
（２）タソス  ホワイト（ＴＨＡＳＳＯＳ    ＷＨＩＴＥ）（ギリシャ産）
伝播響鳴機能×＝悪い。
吸水率０．１４％  見掛け比重２．８４（ｔ／ｍ３  ）
（３）ビアンコ  カラーラ（ＢＩＡＮＣＯ    ＣＡＲＲＡＲＡ）（イタリア産）
伝播響鳴機能△＝好みが分かれるが、使えそうなもの。
吸水率０．１０％  見掛け比重２．６８（ｔ／ｍ３  ）
（４）トラベルチーノ  ロマーノ（ＴＲＡＶＥＲＴＩＮＯ    ＲＯＭＡＮＯ        ＣＬＡＳＳＩＣＯ）（イタリア産）
伝播響鳴機能〇＝良い。
吸水率２．１８％  見掛け比重２．４８（ｔ／ｍ３  ）
（５）トラベルチーノ  キャーロ（ＴＲＡＶＥＲＴＩＮＯ    ＲＯＭＡＮＯ      ＣＨＩＡＲＯ）（イタリア産）
伝播響鳴機能◎＝非常に良い。
吸水率１．１２％  見掛け比重２．４３（ｔ／ｍ３  ）
（６）モカ  クリーム（ＭＯＣＡ  ＣＲＥＭＥ）（ポルトガル産）
伝播響鳴機能△＝好みが分かれるが、使えそうなもの。
吸水率３．５３％  見掛け比重２．３６（ｔ／ｍ３  ）
【００１５】
上記実験から、第１天板１４に使用する石板等の材質としては、吸水率０．１０％の（３）ビアンコ  カラーラ乃至吸水率３．５３％の（６）モカ  クリームが使用可能であり、好適には吸水率１．１２％（５）トラベルチーノ  キャーロ乃至吸水率２．１８％の（４）トラベルチーノ  ロマーノであった。
【００１６】
上記実験から気孔率（吸水率）による作用としては、適度な気孔率で接触物から振動が伝播すると共に、内部伝播した振動が自由端から出力するものであり、表面の気孔から内部伝播すると共に外部出力される、と思われる。
他方、気孔率が低い場合には、内部伝播が困難で反射したり、内部伝播しても外部出力が困難と思われ、逆に気孔率が高い場合には内部で振動減衰する、と思われる。
【００１７】
天板部６の作用としては、エンクロージャー５の底面１３から伝播した振動は内部伝播し、第１天板１４の空気接触面から音響として再生出力され、空気接触面は上面、側面、第２天板１５、１５ａ  …が非配置の底面となって、第２天板１５、１５ａ  …の配置構成により振動出力量を増大している。
又、第１天板１４を円形状とすることにより、ボックス４の底面１３から伝播した振動は外周側に伝播し、外周（自由端）への到達時間が同一で同時に音響空間へ出力再生したり、一部が反射されても同一状況となってノイズ化を防止する。
そして、音響として再生されなかった不要振動は第２天板１５、１５ａ  …へ伝播する。
尚、第１天板１４の大きさは、エンクロージャー５の大きさ、能力等を考慮して適宜選定し、好適にはエンクロージャー５の周囲で第１天板１４の上面に十分な大きさの空間が有ることが好ましい。
【００１８】
次に、天板部６における中間部の第２天板１５、１５ａ  …の材質としては、第１天板１４を支持する強度を有し、第１天板１４から伝播した振動を脚部３へ流すと共に、振動減衰（吸振）させる機能で、程々の伝播率および制振性を有するセラミック板と成している。
又、第２天板１５、１５ａ  …は円周側面をテーパー面、下部Ｒ面とすることにより、上面を下面より大面積と成して、振動の伝播方向を第１天板１４から第２天板１５、１５ａ  …の一方向と成している。
【００１９】
次に、天板部６における下面部の第３天板１６の材質としては、第１天板１４及び第２天板１５、１５ａ  …をしっかりと支えると共に、脚部３へ振動を伝達させることを目的とし、曲げ強度、圧縮強度が高く、振動吸収率が高くなく伝播率が高い大理石を使用している。
【００２０】
尚、第２天板１５、１５ａ  …及び第３天板１６は第１天板１４と同様に大きさ等は適宜選定し、又円形状による均等伝播も同様であり、更に、これらの技術事項はベース部２及び脚部３においても同様である。
又、天板部６は伝播響鳴機能を有する第１天板１４と伝播制振機能等を有する第２天板１５、１５ａ  …及び第３天板１６の３層構造と成したが、第３天板１６の下面に第４天板及び第５天板を夫々設けることにより、５層構造と成して制振機能を増強させても良く、第４天板は第２天板１５、１５ａ  …と同材質同大のもの、脚部３と接合する第５天板は第３天板１６と同材質同大のものと成している。
【００２１】
脚部３は天板６を所望高さへ支持する強度を有する機能を有し、且つ、ボックス４からの振動を制振したり、音響室内空間の振動を制振する機能を有し、図１、２、５に示す様に、脚部３の離隔立設した支柱１０、１０ａ  …は３層構造と成している。
支柱芯材１１は伝播した振動を減衰させる材質で、本実施例では密度が高く透明度の高い非結晶粒子の集合体である大理石（シベック）を使用し、粒子間を振動が通過すると粒子に激突して振動を消滅させ、支柱側板１２、１２ａ  は天板部６の支持のため、曲げ、圧縮強度の高い素材、例えば大理石としている。
かかる３層構造により、支柱芯材１１に接触している支柱側板１２、１２ａ  に衝突した振動が減衰される。
【００２２】
又、支柱芯材１１を両外側２枚の支柱側板１２、１２ａ  より幅狭と成して、支柱１０、１０ａ  …の両側面を断面視で中央陥没で中凹み状と成し、エンクロージャー５から出力された振動が音響空間で反射して戻って来た反響振動が当該部分に激突した場合、凹部内で振動反射を繰り返えさせたり、支柱芯材１１等の内部へ伝播させて室内空間の不要振動波を消滅させる。
尚、中凹みを形成する３枚の支柱芯材１１及び支柱側板１２、１２ａ  は両側面をＲ加工することにより、凹部が更に複雑形状となって室内振動波の消除に有効であるが、特にその形状は限定せず、支柱芯材１１及び支柱側板１２、１２ａ  の両側面を夫々台形と成して全体的に中凹み状としても良い。
又、支柱１０、１０ａ  …は従来のパイプ製に比して中空でないため共振（共鳴）の発生が無く、更に３本独立とすることにより、室内空間の不要振動波の一部は支柱１０、１０ａ  …の間の中央空間を通過し、到達衝突する一部の振動波の支柱１０、１０ａ  …での反射波は分散し、音響への悪影響が皆無となる。
【００２３】
ベース部２は制振機能を有し、且つオーディオボードの機能を有し、図１、３、６に示す様に、３層構造の上下面部の第１底板７及び第３底板９は同大の大型円形板と成すと共に、中間部の第２底板８、８ａ…は３枚の小型円形板と成し、第２底板８、８ａ…は隣接同士および中央位置が空間となる様に離隔配置し、その位置は支柱１０、１０ａ  …と同一位置と成している。
【００２４】
そして、第１底板７は支柱側板１２、１２ａ  と同等の材料を使用し、支柱１０、１０ａ  …から伝達された振動を伝播拡散し、第２底板８、８ａ…へ振動を伝達すると共に、重量に耐える役割を任っている。
又、第２底板８、８ａ…はスタンドの基本性能である制振の目的を果たすための重要部位であり、制振機能が高い材質で支柱芯材１１と同じ大理石やセラミック板を使用し、スピーカーからの振動と床からの振動を吸収・消滅させる。
又、ベース部２の最下段の第３底板９には、圧縮強度に優れた花崗岩を使用、これ自体がオーディオボードの役割（床保護、床と脚部３間の振動伝播遮断）を果たし、別途、スタンド用オーディオボードを用意する手間を省く。
【００２５】
尚、各種石板等の接合に使用する接着材としては、接着力が高く振動伝播率効率が良好のものが好ましい。
【００２６】
【発明の効果】
要するに本発明は、ベース部２は制振機能を有する様にしたので、エンクロージャー５からの振動を床面へ流さず、ルームチューニングの調整を軽減することが出来たり、床面からの振動伝播を防止することが出来、又脚部３は天板部６を所望高さへの支持機能を有する様にしたので、強度を有する脚部３で天板部６を介してエンクロージャー５を所望高さに強固に設置することが出来、又天板部６の上面部は、エンクロージャー５の底面１３から振動が伝幡すると共に自由端から響鳴し易い多孔質の石板又はセラミック板と成して、天板部６は響鳴機能を有する様にしたので、エンクロージャー５の底面１３の振動を天板部６から音響として出力再生し、振動出力量を増加させることが出来、スピーカーの能力を１００％発揮させることが出来る。
【００２７】
エンクロージャー５を載置する上面部の大型円形板の第１天板１４は、エンクロージャー５のボックス４から伝播した振動を第１天板１４の円周自由端から同時出力して音声を劣化させず、又天板部６は第１天板１４と、脚部３に接する第３天板１６と、第１天板１４と第３天板１６の間の第２天板１５、１５ａ  …の３層構造と成し、第１天板１４と第３天板１６は大型円形板と成すと共に、第２天板１５、１５ａ  …は離隔配置した複数の小型円形板と成したので、第１天板１４の下面で第２天板１５、１５ａ  …の非配置空間からも出力再生して振動出力量、音量を増大確保することが出来、又第２天板１５、１５ａ  …は伝播機能と制振機能を有する様にしたので、不要振動を減衰すると共に、音響再生されなかった減衰不要振動を第３天板１６へ流し、第３天板１６は伝播機能を有するものと成したので、不要振動を脚部３へ流すことが出来る。
【００２８】
離隔立設した複数の支柱１０、１０ａ  …により、到達した不要振動波は集中せずに音響環境に悪影響を及ぼさず、又支柱１０、１０ａ  …は支柱芯材１１及び支柱側板１２、１２ａ  より成り、支柱芯材１１は制振機能を有するものと成したので、強度を有する支柱側板１２、１２ａ  で天板部６を支持すると共に、天板部６から伝播した不要振動や支柱側板１２、１２ａ  に衝突した振動を支柱芯材１１で制振することが出来る。
【００２９】
支柱１０、１０ａ  …の両側面を中凹み状と成したので、室内空間の不要振動波を消除して音響室内空間を良好にすることが出来る等その実用的効果甚だ大である。
【図面の簡単な説明】
【図１】本発明に係るスピーカースタンドの正面図である。
【図２】図１の平面図である。
【図３】図２のＡーＡ断面図でスピーカースタンドの縦断面図である。
【図４】図１のＢーＢ断面図で天板部の水平断面図である。
【図５】図１のＣーＣ断面図で脚部およびベース部の平面図である。
【図６】図１のＤーＤ断面図でベース部の水平断面図である。
【符号の説明】
１          スピーカースタンド
２          ベース部
３          脚部
５          エンクロージャー
６          天板部
１３          底面
１４          第１天板
１５、１５ａ  …  第２天板
１６          第３天板
１０、１０ａ  …  支柱
１１          支柱芯材
１２、１２ａ      支柱側板
【図１】
2004364097.tif 000003
【図２】
2004364097.tif 000004
【図３】
2004364097.tif 000005
【図４】
2004364097.tif 000006
【図５】
2004364097.tif 000007
【図６】
2004364097.tif 000008
【手続補正書】
【提出日】平成16年8月30日(2004.8.30)
【手続補正１】
【補正対象書類名】明細書
【補正対象項目名】００２１
【補正方法】変更
【補正の内容】
【００２１】
脚部３は天板６を所望高さへ支持する強度を有する機能を有し、且つ、ボックス４からの振動を制振したり、音響室内空間の振動を制振する機能を有し、図１、２、５に示す様に、脚部３の離隔立設した支柱10、10a …は３層構造と成している。
支柱芯材11は伝播した振動を減衰させる材質で、本実施例では密度が高く透明度の高い大理石（シベック）を使用し、粒子間を振動が通過すると粒子に激突して振動を消滅させ、支柱側板12、12a は天板部６の支持のため、曲げ、圧縮強度の高い素材、例えば大理石としている。
かかる３層構造により、支柱芯材11に接触している支柱側板12、12a に衝突した振動が減衰される。